(57)【要約】      （修正有）【課題】液晶ディスプレイを用いる表示装置において、画像データを送信するための配線を遮蔽しつつ、装置のデザイン性をより向上させる。【解決手段】表示装置は、外観カバー１０４の背面に取り付けられた支持部材１０６に支持されたタッチパネル機能付きの液晶ディスプレイ１０５と、液晶ディスプレイの一つの端辺側から外部に突出した突出部１４１を含む可撓性の保護シート１０７とを有し、液晶ディスプレイの上面には、液晶ディスプレイへ画像データを送信するための配線が接続された第１側部１１２、及び、表示領域を挟んで第１側部と逆側に配置され且つ第１側部より幅が狭い第２側部１１４が配置され、保護シートは、少なくとも第１側部を覆う第１遮蔽部１４２、及び、少なくとも第２側部を覆い且つ突出部を含む第２遮蔽部１４３を含み、第２遮蔽部の幅Ｗ４は、第１遮蔽部の幅Ｗ３と同じである。【選択図】図６
2020013053.tif 000002
【特許請求の範囲】
【請求項１】
開口部が設けられた外観カバーと、
前記外観カバーの背面に取り付けられた支持部材と、
前記支持部材に支持され、且つ、前記開口部内に配置されたタッチパネル機能付きの液晶ディスプレイと、
前記液晶ディスプレイの一つの端辺側から外部に突出した突出部を含み、且つ、前記液晶ディスプレイの表面に配置された可撓性の保護シートと、を有し、
前記液晶ディスプレイの上面には、表示領域、前記液晶ディスプレイへ画像データを送信するための配線が接続された第１側部、及び、前記表示領域を挟んで前記第１側部と逆側に配置され且つ前記第１側部より幅が狭い第２側部が配置され、
前記保護シートは、少なくとも前記第１側部を覆う第１遮蔽部、少なくとも前記第２側部を覆い且つ前記突出部を含む第２遮蔽部、及び、前記第１遮蔽部と前記第２遮蔽部の間に配置され且つ前記表示領域の上部に配置された非遮蔽部を含み、
前記第２遮蔽部の幅は、前記第１遮蔽部の幅と同じである、
ことを特徴とする表示装置。
【請求項２】
前記外観カバーの上面と前記保護シートの上面が面一となるように配置されている、請求項１に記載の表示装置。
【請求項３】
前記支持部材は、前記突出部の背面に間隔を空けて配置された規制部を有する、請求項１または２に記載の表示装置。
【請求項４】
前記保護シートは、前記開口部内の内壁との間に、所定の間隔を空けて、前記液晶ディスプレイの表面に配置されている、請求項１〜３の何れか一項に記載の表示装置。
【発明の詳細な説明】
【技術分野】
【０００１】
本発明は、表示装置に関し、特に、液晶ディスプレイを有する表示装置に関する。
【背景技術】
【０００２】
近年、スキャナ、プリンタ、ノートＰＣ（Personal Computer）、ゲーム機等の様々な表示装置において、タッチパネル機能付きの液晶ディスプレイが使用されている。このような液晶ディスプレイには、画像データを送信するための配線が接続されており、装置の外観を損ねないように、この配線は、液晶ディスプレイの表面に配置された保護シートにより遮蔽されている。
【０００３】
装置筐体に設けられた開口部に表示面を臨ませて配置された表示パネルと、表示パネルの表示面に配置されたタッチパネルと、タッチパネルにおける液晶パネルの反対側を覆う表面シートとを備えた表示装置が開示されている。この表示装置には、表面シートの外縁に、装置筐体の内部を視認できないように覆い隠す不透層が形成されている（特許文献１を参照）。
【先行技術文献】
【特許文献】
【０００４】
【特許文献１】特開２００７−３１６８４７号公報
【発明の概要】
【発明が解決しようとする課題】
【０００５】
液晶ディスプレイを用いる表示装置では、装置の外観を損ねないように、画像データを送信するための配線をより適切に遮蔽することが望まれている。
【０００６】
本発明の目的は、液晶ディスプレイを用いる表示装置において、画像データを送信するための配線を遮蔽しつつ、装置のデザイン性をより向上させることにある。
【課題を解決するための手段】
【０００７】
本実施形態の一側面に係る表示装置は、開口部が設けられた外観カバーと、外観カバーの背面に取り付けられた支持部材と、支持部材に支持され、且つ、開口部内に配置されたタッチパネル機能付きの液晶ディスプレイと、液晶ディスプレイの一つの端辺側から外部に突出した突出部を含み、且つ、液晶ディスプレイの表面に配置された可撓性の保護シートと、を有し、液晶ディスプレイの上面には、表示領域、液晶ディスプレイへ画像データを送信するための配線が接続された第１側部、及び、表示領域を挟んで第１側部と逆側に配置され且つ第１側部より幅が狭い第２側部が配置され、保護シートは、少なくとも第１側部を覆う第１遮蔽部、少なくとも第２側部を覆い且つ突出部を含む第２遮蔽部、及び、第１遮蔽部と第２遮蔽部の間に配置され且つ表示領域の上部に配置された非遮蔽部を含み、第２遮蔽部の幅は、第１遮蔽部の幅と同じである。
【発明の効果】
【０００８】
本発明によれば、液晶ディスプレイを用いる表示装置において、画像データを送信するための配線を遮蔽しつつ、装置のデザイン性をより向上させることが可能となる。
【図面の簡単な説明】
【０００９】
【図１】用紙搬送装置１００の斜視図である。
【図２】外観カバー１０４及び液晶ディスプレイ１０５の断面図である。
【図３】液晶ディスプレイ１０５を上方から見た平面図である。
【図４】液晶ディスプレイ１０５と支持部材１０６を説明するための模式図である。
【図５】外観カバー１０４及び液晶ディスプレイ１０５等の断面図である。
【図６】外観カバー１０４及び液晶ディスプレイ１０５等の断面図である。
【発明を実施するための形態】
【００１０】
以下、本発明の一側面に係る用紙搬送装置について図を参照しつつ説明する。但し、本発明の技術的範囲はそれらの実施の形態に限定されず、特許請求の範囲に記載された発明とその均等物に及ぶ点に留意されたい。
【００１１】
図１は、イメージスキャナとして構成された用紙搬送装置１００の斜視図である。
【００１２】
用紙搬送装置１００は、表示装置の一例である。図１に示すように、用紙搬送装置１００は、筐体１０１、用紙台１０２、トレイ１０３、外観カバー１０４及び液晶ディスプレイ（ＬＣＤ：Liquid Crystal Display）１０５等を有する。
【００１３】
筐体１０１は、用紙搬送装置１００内部に配置された各部品を覆う。筐体１０１は、不図示の搬送ローラ及び撮像装置を有し、用紙台１０２に載置された用紙（原稿）を搬送しながら読み取って画像を生成する。また、筐体１０１は、搬送された用紙をトレイ１０３に排出する。
【００１４】
用紙台１０２は、複数枚の用紙を載置し、載置された各用紙を筐体１０１に供給する。
【００１５】
トレイ１０３は、筐体１０１から排出された用紙を積載する。
【００１６】
外観カバー１０４は、樹脂材料等で形成され、用紙搬送装置１００の前面を覆う。
【００１７】
液晶ディスプレイ１０５は、タッチパネル機能付きの液晶ディスプレイである。液晶ディスプレイ１０５には、液晶ディスプレイ１０５に画像データを出力するインタフェース回路及びタッチパネルから入力信号を取得するインタフェース回路が接続される。タッチパネルは、例えば感圧式のタッチパネルである。液晶ディスプレイ１０５は、原稿の読取結果、用紙搬送装置１００の各種設定画面等を表示するとともに、利用者による操作を受け付ける。本実施形態では、液晶ディスプレイ１０５は、縦向きに（長手方向が縦方向となり、短手方向が横方向となるように）配置されている。
【００１８】
図２は、外観カバー１０４及び液晶ディスプレイ１０５を斜め下方向から見た図１のＡ−Ａ線断面図である。
【００１９】
図２に示すように、用紙搬送装置１００は、さらに支持部材１０６及び保護シート１０７等を有する。
【００２０】
支持部材１０６は、例えば液晶ディスプレイ１０５を支持するＬＣＤベゼルであり、液晶ディスプレイ１０５全体を保護する。
【００２１】
保護シート１０７は、ＰＥＴ（ポリエチレンテレフタレート）、ガラス液晶又はアクリル樹脂等で形成された可撓性のシートである。保護シート１０７の厚さは、例えば０．１ｍｍ以上且つ０．５ｍｍ以下である。保護シート１０７は、液晶ディスプレイ１０５の表面に配置され、液晶ディスプレイ１０５の表面を保護する。
【００２２】
図３は、液晶ディスプレイ１０５を上方から見た平面図である。
【００２３】
図３に示すように、液晶ディスプレイ１０５の上面には、表示領域１１１と、表示領域１１１を囲む液晶ディスプレイ１０５の四つの側部１１２〜１１５とが配置される。側部１１２〜１１５の内の第１側部１１２には、配線１１６が接続される。配線１１６は、不図示のＣＰＵ（Central Processing Unit）から液晶ディスプレイ１０５へ画像データを送信し、液晶ディスプレイ１０５からＣＰＵへ操作信号を送信するために使用される。配線１１６は、例えばフレキシブル基板（ＦＰＣ；Flexible printed circuits）である。配線１１６から接続された各信号線１１７は、表示領域１１１の四辺に接続される。ＣＰＵは、配線１１６を介して、液晶用の透明電極へ電圧を印加することにより、液晶ディスプレイ１０５へ画像データを送信し、表示領域１１１に画像を表示する。また、ＣＰＵは、配線１１６を介して、タッチパネル用の透明電極から操作信号を受信することにより、ユーザによる操作を受け付ける。
【００２４】
第１側部１１２では、表示領域１１１において第１側部１１２と接する辺の延伸方向Ａ１と直交する方向Ａ２に、配線１１６からの信号線１１７が延伸するため、第１側部１１２の幅（方向Ａ２における長さ）Ｗ１は、十分に長くなるように設定される。一方、表示領域１１１を挟んで第１側部１１２と逆側に配置された第２側部１１４では、表示領域１１１において第２側部１１４と接する辺の延伸方向Ａ１にのみ配線１１６からの信号線１１７が延伸する。そのため、第２側部１１４の幅（方向Ａ２における長さ）Ｗ２は、十分に短くなるように設定され、特に第１側部１１２の幅Ｗ１より狭くなるように設定される。
【００２５】
図４は、液晶ディスプレイ１０５と支持部材１０６の関係を説明するための模式図である。
【００２６】
図４に示すように、支持部材１０６は、載置面１０６ａ及び規制部１０６ｂ等を有する。載置面１０６ａは、矩形状且つ平面状に形成され、載置面１０６ａには、液晶ディスプレイ１０５が載置される。規制部１０６ｂは、載置面１０６ａを囲む四辺の内、載置面１０６ａに載置される液晶ディスプレイ１０５の第２側部１１４と対向する辺に沿って設けられる。
【００２７】
図５及び図６は、それぞれ、外観カバー１０４、液晶ディスプレイ１０５及び支持部材１０６の、図１のＡ−Ａ線断面図及びＢ−Ｂ線断面図である。
【００２８】
図５及び図６に示すように、外観カバー１０４には、開口部１０４ａが設けられる。外観カバー１０４の背面には、支持部材１０６がネジ１５１により固定されて、取り付けられている。外観カバー１０４の開口部１０４ａ内には、液晶ディスプレイ１０５が配置されている。液晶ディスプレイ１０５は、両面テープ１５２により支持部材１０６の載置面１０６ａに貼り付けられて支持されている。液晶ディスプレイ１０５の表面には、保護シート１０７が配置されている。保護シート１０７は、両面テープ１５３により液晶ディスプレイ１０５の表面に貼り付けられて支持されている。
【００２９】
液晶ディスプレイ１０５は、バックライト１２１、第１偏光フィルタ１２２、第１ガラス層１２３、液晶層１２４、第２ガラス層１２５、第１ＩＴＯ膜１２６、ドットスペーサ層１２７、第２ＩＴＯ膜１２８及び第２偏光フィルタ１２９等を有する。
【００３０】
第１ガラス層１２３及び第２ガラス層１２５は、透明電極を有している。液晶ディスプレイ１０５は、透明電極間へ印加する電圧を制御することにより、液晶層１２４内の各液晶分子の向きを変更する。液晶ディスプレイ１０５は、各液晶分子の向きと、第１偏光フィルタ１２２及び第２偏光フィルタ１２９の偏光方向との組合せにより、バックライト１２１から放射された光の透過量を制御し、表示領域１１１に画像を表示する。
【００３１】
また、第１ＩＴＯ膜１２６及び第２ＩＴＯ膜１２８は、透明であり且つ導電性を有しており、第１ＩＴＯ膜１２６と第２ＩＴＯ膜１２８の間には、ドットスペーサ層１２７により空間が形成されている。液晶ディスプレイ１０５は、ユーザの指等により第２ＩＴＯ膜１２８が押下されて第１ＩＴＯ膜１２６と接触した領域（座標）を検出し、検出した領域に対応する操作信号をＣＰＵへ出力する。これにより、液晶ディスプレイ１０５は、ユーザによるタッチパネルへの操作を受け付ける。
【００３２】
バックライト１２１と、第１ガラス層１２３及び／又は第２ガラス層１２５との、第１側部１１２に対応する一辺には、ＣＰＵが各部を電気的に制御するために、配線１１６が接続される。同様に、第１ＩＴＯ膜１２６及び／又は第２ＩＴＯ膜１２８の、第１側部１１２に対応する一辺には、ＣＰＵが各ＩＴＯ膜の接触領域（座標）を検出するために、配線１１６が接続される。
【００３３】
上記したように、第１側部１１２では、表示領域１１１において第１側部１１２と接する辺の延伸方向Ａ１と直交する方向Ａ２に、配線１１６からの信号線１１７が延伸し、第２側部１１４では、方向Ａ１にのみ配線１１６からの信号線１１７が延伸する。そのため、第２側部１１４の幅Ｗ２は、第１側部１１２の幅Ｗ１より狭くなるように設定される。
【００３４】
保護シート１０７は、液晶ディスプレイ１０５の一つの端辺側から外部に突出した突出部１４１を含んでいる。本実施形態では、突出部１４１は、液晶ディスプレイ１０５の第２側部１１４側の端辺から突出している。また、保護シート１０７は、第１遮蔽部１４２、第２遮蔽部１４３及び非遮蔽部１４４を含んでいる。
【００３５】
第１遮蔽部１４２は、少なくとも第１側部１１２を覆っている。第１遮蔽部１４２は、不透明であり、少なくとも第１側部１１２を遮蔽し、第１側部１１２に接続される配線１１６と、配線１１６からの信号線１１７とを遮蔽する。
【００３６】
第２遮蔽部１４３は、突出部１４１を含み、且つ、少なくとも第２側部１１４を覆っている。第２遮蔽部１４３は、不透明であり、少なくとも第２側部１１４を遮蔽し、第２側部１１４に接続される、配線１１６からの信号線１１７を遮蔽する。
【００３７】
非遮蔽部１４４は、第１遮蔽部１４２と第２遮蔽部１４３の間に配置され、且つ、表示領域１１１の上部に配置される。非遮蔽部１４４は透明であり、表示領域１１１に表示された画像は、非遮蔽部１４４を介して、ユーザにより視認される。
【００３８】
保護シート１０７は、例えば可撓性の透明部材により形成され、第１遮蔽部１４２及び第２遮蔽部１４３は、その透明部材に黒色又は灰色等の不透明色を印刷することにより形成される。
【００３９】
第２遮蔽部１４３の幅（表示領域１１１において第１側部１１２と接する辺の延伸方向Ａ１と直交する方向Ａ２における長さ）Ｗ４は、第１遮蔽部１４２の幅Ｗ３と同一である。但し、「同一である」とは、液晶ディスプレイ１０５において許容されている製造誤差の範囲内（例えば５％）であることを含む。用紙搬送装置１００では、互いに幅が異なる第１側部１１２及び第２側部１１４の両方を遮蔽しつつ、ユーザによって視認される第１遮蔽部１４２及び第２遮蔽部１４３の幅を同一にすることにより、遮蔽される部分のバランスを均一にしている。これにより、用紙搬送装置１００は、装置の見栄え（外観）を良好にし、装置のデザイン性を向上させている。
【００４０】
液晶ディスプレイ１０５は、表面全体、即ちタッチパネルの操作領域内の全ての領域が外観カバー１０４の開口部１０４ａから露出するように配置されており、その表面全体は、可撓性の保護シート１０７により覆われている。そのため、ユーザは、保護シート１０７を介して、タッチパネルの操作領域内の全ての領域を指定することができる。
【００４１】
また、保護シート１０７は、外観カバー１０４の上面Ｆ１と保護シート１０７の上面Ｆ２が面一となるように配置されている。そのため、用紙搬送装置１００では、外観カバー１０４と、タッチパネルの操作領域との間に段差が存在しない。これにより、ユーザの指が操作領域の端部周辺に入り込めずに、ユーザが操作領域の端部周辺を指定できなくなることが防止され、用紙搬送装置１００は、ユーザの操作性を向上させることが可能となる。
【００４２】
近年、多くのユーザがＱＷＥＲＴＹ配列のキーボードに慣れ親しんでいるため、用紙搬送装置１００は、液晶ディスプレイ１０５にＱＷＥＲＴＹ配列を表示して、ユーザによるキー入力を受け付ける必要がある。しかしながら、ＱＷＥＲＴＹ配列では特に横方向に多数のキーが配列されるため、一つのキーに割り当てられる領域が小さくなる。特に、液晶ディスプレイ１０５が縦向きに配置されている場合、一つのキーに割り当てられる領域は、さらに小さくなる。そのため、外観カバー１０４と、タッチパネルの操作領域との間に段差が存在する場合、操作領域の端部周辺に割り当てられたキーをユーザが指定することが困難になる。用紙搬送装置１００では、外観カバー１０４と、タッチパネルの操作領域との間に段差が存在しないため、ユーザは、操作領域の端部周辺に割り当てられたキーについても適切に指定することができる。
【００４３】
また、支持部材１０６は、保護シート１０７の突出部１４１と対向する位置に設けられた規制部１０６ｂを有する。規制部１０６ｂは、突出部１４１が開口部１０４ａの奥側（図５、図６の下方）に落ち込むことを制限するように、突出部１４１を規制する。上記の通り、液晶ディスプレイ１０５の第１側部１１２には配線１１６が接続されるため、第１側部１１２の幅Ｗ１は第２側部１１４の幅Ｗ２より長くなる。一方、第１遮蔽部１４２の幅Ｗ３は第２遮蔽部１４３の幅Ｗ３と同一であるため、第２遮蔽部１４３は、液晶ディスプレイ１０５の第２側部１１４側の端辺から突出する。保護シート１０７の突出部１４１を規制するように支持部材１０６に規制部１０６ｂを設けることにより、ユーザによって突出部１４１が開口部１０４ａの奥側に向けて押下された場合でも、突出部１４１が開口部１０４ａの奥側に落ち込むことが防止される。また、規制部１０６ｂにより、保護シート１０７の上面Ｆ２は、外観カバー１０４の上面Ｆ１と面一となる状態で維持される。
【００４４】
規制部１０６ｂは、保護シート１０７の突出部１４１の背面に所定の間隔（隙間）Ｓ１を空けて配置されており、保護シート１０７から離間している。そのため、装置の製造誤差の影響によって、支持部材１０６の載置面１０６ａから規制部１０６ｂまでの高さが、液晶ディスプレイ１０５の高さより大きくなる場合でも、突出部１４１が規制部１０６ｂによって押し上げられることが抑制される。さらに、これにより、第２遮蔽部１４３が両面テープ１５３から離間してしまって、保護シート１０７が液晶ディスプレイ１０５に固定されなくなることが抑制される。
【００４５】
また、保護シート１０７は、開口部１０４ａ内の内壁Ｆ３、Ｆ４との間に、所定の間隔（隙間）Ｓ２、Ｓ３を空けて、保護シート１０７の表面に配置されており、外観カバー１０４から離間している。これにより、装置の製造誤差の影響によって、保護シート１０７の幅（方向Ａ２における長さ）が開口部１０４ａの幅（方向Ａ２における長さ）より長くなる場合でも、保護シート１０７が開口部１０４ａ内に収まらなくなることが抑制される。また、製品の使用環境における温度変化の影響によって、保護シート１０７が膨張した場合でも、保護シート１０７が開口部１０４ａに収まらなくなることが抑制される。
【００４６】
なお、間隔Ｓ２、Ｓ３に対応する位置には、支持部材１０６の底面１０６ｃが存在しており、支持部材１０６の底面１０６ｃが、装置内部を遮蔽する遮蔽部として機能している。そのため、用紙搬送装置１００では、装置内部が露出して装置の外観が損なわれることが防止される。
【００４７】
以上詳述したように、用紙搬送装置１００では、配線１１６が接続された第１側部１１２と、第１側部１１２より幅が狭い第２側部１１４とが配置された液晶ディスプレイ１０５の上面に保護シート１０７が設けられる。保護シート１０７において、第１側部１１２及び第２側部１１４のそれぞれの上面には、同じ幅を有する第１遮蔽部１４２及び第２遮蔽部１４３が設けられる。これにより、液晶ディスプレイ１０５を用いる用紙搬送装置１００において、配線１１６及び配線１１６からの信号線１１７を遮蔽しつつ、装置のデザイン性をより向上させることが可能となった。
【００４８】
また、用紙搬送装置１００では、保護シート１０７は、外観カバー１０４の上面Ｆ１と保護シート１０７の上面Ｆ２が面一となるように配置されている。そのため、用紙搬送装置１００では、表面に透明ガラス等を配置することにより高さを調整できる静電式のタッチパネルより安価である感圧式のタッチパネルを使用しているにも関わらず、外観カバー１０４と、タッチパネルの操作領域との間に段差が存在しない。したがって、用紙搬送装置１００において、装置コストの増大を抑制しつつ、ユーザの操作性を向上させることが可能となった。
【００４９】
また、上記の通り、用紙搬送装置１００では、保護シート１０７は、外観カバー１０４の上面Ｆ１と保護シート１０７の上面Ｆ２が面一となるように配置されている。そのため、用紙搬送装置１００では、外観カバー１０４を十分に厚くしても、外観カバー１０４と、タッチパネルの操作領域との間に段差が存在しない。したがって、用紙搬送装置１００において、外観カバー１０４を薄くする必要がないため、装置の成型不良又は外観不良の発生を抑制しつつ、ユーザの操作性を向上させることが可能となった。
【００５０】
以上、本発明の好適な実施形態について説明してきたが、本発明はこれらの実施形態に限定されるものではない。用紙搬送装置１００は、イメージスキャナでなく、ファクシミリ、インクジェットプリンタ、レーザプリンタ、プリンタ複合機（ＭＦＰ、Multifunction Peripheral）等でもよい。また、表示装置は、液晶ディスプレイを有する装置であれば、用紙搬送装置１００に限定されず、携帯電話、タブレットＰＣ、多機能携帯電話（いわゆるスマートフォン）、携帯情報端末、ノートＰＣ、ゲーム機等、どのような装置でもよい。
【００５１】
また、規制部１０６ｂは、支持部材１０６と一体に形成されるのではなく、支持部材１０６とは別部材として設けられ、外観カバー１０４又は支持部材１０６に固定されて支持されてもよい。
【符号の説明】
【００５２】
１００    用紙搬送装置
１０４    外観カバー
１０４ａ    開口部
１０５    液晶ディスプレイ
１０６    支持部材
１０６ｂ    規制部
１０７    保護シート
１１１    表示領域
１１２    第１側部
１１４    第２側部
１４１    突出部
１４２    第１遮蔽部
１４３    第２遮蔽部
１４４    非遮蔽部
【図１】
2020013053.tif 000003
【図２】
2020013053.tif 000004
【図３】
2020013053.tif 000005
【図４】
2020013053.tif 000006
【図５】
2020013053.tif 000007
【図６】
2020013053.tif 000008